(57)【特許請求の範囲】
【請求項１】
空気の流入口及び吹出口を開口して送風機を内装する筐体と、前記流入口を覆って前記筐体に着脱可能に取り付けられるとともに空気の吸込口を開口するカバー部材と、前記筐体と前記カバー部材との間の空間内に着脱可能に設置されるとともに一面に粘着面を有して虫を捕獲する捕虫シートと、前記筐体又は前記カバー部材に設けられるとともに前記捕虫シートの一端を回転可能に支持して前記捕虫シートを巻き取る巻取部とを備え、
前記捕虫シートが巻取方向の一端部に巻取方向の垂直方向に延びる第１芯材と、前記第１芯材の反対側の端部に配される孔部とを有するとともに、
前記巻取部が前記第１芯材の両端を支持して少なくとも一方が回転可能に配される一対の第１支持部と、一方の前記第１支持部を回転させる駆動部とを有し、
前記孔部に挿入して前記捕虫シートを係止する係止部を前記筐体又は前記カバー部材に設け、前記孔部の巻取方向の反対側が開放されていることを特徴とする送風装置。
【請求項２】
前記駆動部が一方の前記第１支持部と一体に設けられるハンドルから成り、前記ハンドルが前記カバー部材の外側に配されることを特徴とする請求項１に記載の送風装置。
【請求項３】
前記駆動部が一方の前記第１支持部に連結されるモータから成ることを特徴とする請求項１に記載の送風装置。
【請求項４】
前記モータを前記筐体に配して前記第１支持部を前記カバー部材に配し、前記筐体から突出して前記モータの駆動時に回転するシャフトと、前記第１支持部に設けられる第１傘歯車と、前記カバー部材に配されるとともに前記シャフトが嵌合して係止される係止孔を有して第１傘歯車に噛合する第２傘歯車とを設けたことを特徴とする請求項３に記載の送風装置。
【請求項５】
前記捕虫シートが巻取方向の他端部に巻取方向の垂直方向に延びる第２芯材を有するとともに、前記巻取部が前記第２芯材の両端を支持する一対の第２支持部を有し、前記駆動部により前記捕虫シートが前記第１芯材に巻き取られるとともに前記第２芯材上から送り出されることを特徴とする請求項１〜請求項４のいずれかに記載の送風装置。
【発明の詳細な説明】
【技術分野】
【０００１】
本発明は虫を捕獲する捕虫シートを備えた送風装置に関する。
【背景技術】
【０００２】
特許文献１には従来の送風装置が開示されている。この送風装置は空気の流入口及び吹出口をそれぞれ背面及び上面に開口した筐体を有する。筐体は室内の床面等に設置され、送風機を内装する。流入口には空気中の塵埃を捕集するフィルタが配される。筐体の背面側には流入口を覆うカバー部材が筐体に対して着脱可能に取り付けられる。カバー部材は空気の吸込口を複数開口している。【０００３】
上記構成の送風装置において、運転が開始されると、送風機が駆動されて吸込口から空気が吸い込まれる。吸込口から吸い込まれた空気は流入口に流入し、フィルタにより塵埃が捕集された後に吹出口から外部へ送出される。これにより、室内の空気を清浄することができる。また、筐体からカバー部材を取り外してフィルタを交換することができる。【０００４】
上記特許文献１の送風装置によれば、空気中の塵埃を捕集するため、塵埃等による健康被害を低減することができる。また、近年の健康志向の高まりから、蚊等の虫を介した感染症等を低減するために捕虫機能を有する送風装置の要望が高くなっている。【０００５】
特許文献２に記載の捕虫装置は、前面を扉により開閉して側面に開口部を開口した筐体と、筐体内に虫を誘引する誘引光を出射する誘引光源と、扉の背面に配されて虫を捕獲する粘着性の捕虫シートとを備えている。【０００６】
扉を閉じて誘引光源を点灯すると、側面の開口部を介して誘引光が筐体の外部に向けて出射される。虫は側面の開口部を介して筐体内に進入し、捕虫シートにより捕虫される。そして、虫が付着した使用済の捕虫シートを扉から取り外し、未使用の捕虫シートを扉の所定位置に取り付ける。これにより、捕虫シートを交換することができる。
【先行技術文献】
【特許文献】
【０００７】
【特許文献１】特開２００９−６６４６６号公報
【特許文献２】特開２００６−２３０２５８号公報
【発明の概要】
【発明が解決しようとする課題】
【０００８】
上記の捕虫シートにより、送風装置に捕虫機能を設けることができる。しかしながら、捕虫シートを設けると、捕虫シートを交換する際に虫が付着した粘着面が目に入るとともに粘着面に手が触れ、作業者の不快感を招く問題があった。【０００９】
本発明は、捕虫シートの交換時の不快感を防止できる送風装置を提供することを目的とする。
【課題を解決するための手段】
【００１０】
上記目的を達成するために本発明は、空気の流入口及び吹出口を開口して送風機を内装する筐体と、前記流入口を覆って前記筐体に取り付けられるとともに空気の吸込口を開口するカバー部材と、前記筐体と前記カバー部材との間の空間内に着脱可能に設置されるとともに一面に粘着面を有して虫を捕獲する捕虫シートと、前記筐体又は前記カバー部材に設けられるとともに前記捕虫シートの一端を回転可能に支持して前記捕虫シートを巻き取る巻取部とを備えたことを特徴とする。【００１１】
また本発明は、上記構成の送風装置において、前記捕虫シートが巻取方向の一端部に巻取方向の垂直方向に延びる第１芯材を有するとともに、前記巻取部が前記第１芯材の両端を支持して少なくとも一方が回転可能に配される一対の第１支持部と、一方の前記第１記支持部を回転させる駆動部とを有することを特徴とする。【００１２】
また本発明は、上記構成の送風装置において、前記駆動部が一方の前記第１支持部と一体に設けられるハンドルから成り、前記ハンドルが前記カバー部材の外側に配されることを特徴とする。【００１３】
また本発明は、上記構成の送風装置において、前記駆動部が一方の前記第１支持部に連結されるモータから成ることを特徴とする。【００１４】
また本発明は、上記構成の送風装置において、前記モータを前記筐体に配して前記第１支持部を前記カバー部材に配し、前記筐体から突出して前記モータの駆動時に回転するシャフトと、前記第１支持部に設けられる第１傘歯車と、前記カバー部材に配されるとともに前記シャフトが嵌合して係止される係止孔を有して第１傘歯車に噛合する第２傘歯車とを設けたことを特徴とする。【００１５】
また本発明は、上記構成の送風装置において、前記捕虫シートが第１芯材の反対側の端部に孔部を有するとともに、前記孔部に挿入して前記捕虫シートを係止する係止部を設け、前記孔部の巻取方向の反対側が開放されていることを特徴とする。【００１６】
また本発明は、上記構成の送風装置において、前記筐体から突出して前記捕虫シートに当接するリブを設けたことを特徴とする。【００１７】
また本発明は、上記構成の送風装置において、前記第１支持部の両方が回転可能に配されるとともに前記第１芯材の両端が前記第１支持部に係止され、前記第１芯材を押圧する方向に前記駆動部の反対側の前記第１支持部を付勢するバネを設けたことを特徴とする。【００１８】
また本発明は、上記構成の送風装置において、前記捕虫シートが巻取方向の他端部に巻取方向の垂直方向に延びる第２芯材を有するとともに、前記巻取部が前記第２芯材の両端を支持する一対の第２支持部を有し、前記駆動部により前記捕虫シートが前記第１芯材に巻き取られるとともに前記第２芯材上から送り出されることを特徴とする。【００１９】
また本発明は、上記構成の送風装置において、前記第２支持部の両方が回転可能に配されるとともに、前記第２芯材の両端が前記第２支持部に係止され、前記第２芯材を押圧する方向に片方の前記第２支持部を付勢するバネを設けたことを特徴とする。【００２０】
また本発明は、上記構成の送風装置において、所定の周期毎に前記モータが駆動されることを特徴とする。【００２１】
また本発明は、上記構成の送風装置において、前記捕虫シート上の捕虫量を検知する捕虫センサを設け、所定の捕虫量に到達した時に前記モータが駆動されることを特徴とする。
【発明の効果】
【００２２】
本発明によると、一面に粘着面を有して虫を捕獲する捕虫シートと捕虫シートの一端を回転可能に支持して捕虫シートを巻き取る巻取部とを備えた。これにより、虫が付着した使用済の捕虫シートを巻き取って交換することができる。このため、捕虫シートの交換のために取り外す際に虫の付着した粘着面が目に入らず、粘着面に手が触れることもない。したがって、送風装置の捕虫シートの交換時の不快感を防止することができる。
【図面の簡単な説明】
【００２３】
【図１】本発明の第１実施形態の送風装置を示す斜視図
【図２】本発明の第１実施形態の送風装置を示す側面断面図
【図３】本発明の第１実施形態の送風装置を示す背面断面図
【図４】本発明の第１実施形態の送風装置のカバー部材を示す斜視図
【図５】本発明の第２実施形態の送風装置のカバー部材を示す斜視図
【図６】本発明の第２実施形態の送風装置の捕虫シートを示す側面断面図
【図７】本発明の第３実施形態の送風装置を示す側面断面図
【発明を実施するための形態】
【００２４】
＜第１実施形態＞
以下に図面を参照して本発明の実施形態を説明する。図１及び図２は第１実施形態の送風装置のそれぞれ斜視図及び側面断面図を示している。なお、図１及び図２において白抜きの矢印は空気の流れを示している。送風装置１は居室内の床面等に設置されて水平断面形状が略楕円形の筐体２を有している。筐体２の背面側には着脱可能なカバー部材３が取り付けられている。
【００２５】
筐体２の上面の周縁部には透明な樹脂から成るスリーブ部１２が設けられる。筐体２の上面前部には操作部６が設けられる。操作部６は複数のボタン（不図示）を有し、使用者の操作によって送風装置１の動作設定を行う。各ボタンの操作によって送風装置１の駆動オンオフ、送風機１０の風量の変更、後述するイオン発生装置１１のオンオフ等を指示することができる。
【００２６】
筐体２の背面及び上面にはそれぞれ流入口２０及び吹出口５が開口している。吹出口５の中央部には上方に向かって突出する突出板１３が設けられる。カバー部材３には複数の吸込口４が開口し、カバー部材３と筐体２の背面との間には吸込口４と流入口２０とを連通させる捕虫空間２５が形成される。捕虫空間２５に面した筐体２の背面は黒色に形成される。
【００２７】
筐体２内には流入口２０と吹出口５とを連結する送風通路７が設けられる。送風通路７内には流入口２０から吹出口５に向かって（気流の上流から下流に向かって）順にプレフィルタ８、ＨＥＰＡフィルタ９、送風機１０及びイオン発生装置１１が設けられる。
【００２８】
送風機１０はモータ１０ａにより駆動されるシロッコファンにより形成され、軸方向に吸気して周方向に排気する。プレフィルタ８はＡＢＳ等の合成樹脂で形成された複数段複数列の窓を有する矩形の枠８ａにポリプロピレン製のメッシュ８ｂを溶着して形成される。メッシュ８ｂの目の大きさは蚊やハエ等の虫が通過できない大きさに形成される。プレフィルタ８によって空気中の大きな塵埃を捕集することができる。
【００２９】
ＨＥＰＡフィルタ９は濾材９ａを覆うように枠材９ｂがホットメルトにより溶着されている。ＨＥＰＡフィルタ９によって、所定粒径（例えば３μｍ）よりも小さい粒径のＰＭ２．５等の微小粒子状物質を含む空気中の微細な塵埃を捕集することができる。
【００３０】
なお、活性炭等の吸着材を有する脱臭フィルタをプレフィルタ８とＨＥＰＡフィルタ９との間に配置してもよい。これにより、空気中の臭気成分を吸着して空気を脱臭することができる。
【００３１】
イオン発生装置１１は高圧電圧の印加によりイオンを発生する電極（不図示）を有し、電極は送風通路７内に面している。電極には交流波形またはインパルス波形から成る電圧が印加される。電極の印加電圧が正電圧の場合は主としてＨ＋（Ｈ２Ｏ）ｍから成るプラスイオンを発生し、負電圧の場合は主としてＯ２−（Ｈ２Ｏ）ｎから成るマイナスイオンを発生する。ここで、ｍ、ｎは整数である。Ｈ＋（Ｈ２Ｏ）ｍ及びＯ２−（Ｈ２Ｏ）ｎは空気中の浮遊菌や臭気成分の表面で凝集してこれらを取り囲む。
【００３２】
そして、式（１）〜（３）に示すように、衝突により活性種である［・ＯＨ］（水酸基ラジカル）やＨ２Ｏ２（過酸化水素）を微生物等の表面上で凝集生成して浮遊菌等を破壊する。ここで、ｍ’、ｎ’は整数である。したがって、プラスイオン及びマイナスイオンを発生して吹出口５から送出することにより居室内の除菌及び臭い除去を行うことができる。
【００３３】
Ｈ＋(Ｈ２Ｏ)ｍ＋Ｏ２−(Ｈ２Ｏ)ｎ→・ＯＨ＋1/2Ｏ２＋(ｍ＋ｎ)Ｈ２Ｏ  ・・・（１）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→  2・ＯＨ＋Ｏ２＋(ｍ＋ｍ'＋ｎ＋ｎ')Ｈ２Ｏ  ・・・（２）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→  Ｈ２Ｏ２＋Ｏ２＋(ｍ＋ｍ'＋ｎ＋ｎ')Ｈ２Ｏ  ・・・（３）
【００３４】
また、プラスイオン及びマイナスイオンが使用者の肌に接触すると、肌に水酸基（ＯＨ基）が付着して肌表面が親水化される。これにより、肌表面に水分子が付着しやすくなり、肌に潤いを与えることができる。
【００３５】
図３は送風装置１の筐体２の上部の背面断面図を示している。筐体２の背面上部には流入口２０に対して外側（カバー部材３側）に突出した突出部２８が設けられる。突出部２８は左右方向に延びて形成され、突出部２８の下面の左右方向の中央部には凹部２８ａが凹設される。
【００３６】
凹部２８ａ内の左右端部にはそれぞれ出射面（不図示）が斜め下方を向くように誘引光源２１が配される。これにより、誘引光源２１は捕虫空間２５の上部に面してカバー部材３の吸込口４の上方に配置される。誘引光源２１は、蚊等の虫を誘引する約３６５ｎｍの紫外線を出射する紫外線発光ダイオード（不図示）を有する。
【００３７】
凹部２８ａの左右方向の中央部には両面に反射面６１ａが形成された板状の反射部６１が垂設される。反射面６１ａはシボ加工され、誘引光源２１の出射面から出射された光Ｐ１は反射面６１ａで拡散反射する。反射面６１ａで拡散反射した光Ｐ２は吸込口４に向かう。これにより、使用者が誘引光源２１を直視することを防止することができる。なお、誘引光源２１及び反射部６１を筐体２に替えてカバー部材３の内面に設けてもよく、筐体２及びカバー部材３に設けてもよい。
【００３８】
図４はカバー部材３を内側（筐体２側）から見た斜視図を示している。カバー部材３は筐体２に設けられた係合孔（不図示）に係合する係合爪（不図示）を有する。これにより、カバー部材３は筐体２に対して着脱可能に取り付けられる。カバー部材３は後方に凸になるように湾曲し、左右の両端部にはそれぞれ複数（本実施形態では５個）の吸込口４が上下に並設される。なお、吸込口４は１個でもよい。
【００３９】
カバー部材３の内面には虫を誘引する臭気物質を発生するニオイ発生部７０が設けられる。臭気物質に特に限定はないが、例えば乳酸を挙げることができる。乳酸により蚊等の虫を捕虫空間２５に容易に誘引することができる。なお、ニオイ発生部７０の設置場所は捕虫空間２５内であれば、カバー部材３の内面に限定されず筐体２の背面に設けてもよい。
【００４０】
捕虫空間２５にはカバー部材３の内面に取り付けた捕虫シート５１が配される。捕虫シート５１は黒色に形成され、筐体２側の一面に粘着面５１ｃを有している。粘着面５１ｃにはアクリル系等の粘着剤（不図示）が設けられる。
【００４１】
捕虫シート５１は一端に左右方向に延びる円筒状の芯材４１（第１芯材）を有している。芯材４１の両端面には軸方向に切り欠いた溝（不図示）が設けられる。
【００４２】
カバー部材３の上部には芯材４１を支持して捕虫シート５１を巻取方向Ａ１に巻き取る巻取部４０が設けられる。巻取部４０はカバー部材３に回転可能に配される一対の支持部４５（第１支持部）を有している。両方の支持部４５は芯材４１に嵌入されるとともに芯材４１の溝に嵌合する突起部（不図示）を有する。これにより、支持部４５は巻取方向Ａ１の垂直方向に延びた芯材４１の両端を係止して支持する。
【００４３】
図中、右側に配される一方の支持部４５にはハンドル４３（駆動部）が連結される。ハンドル４３は開口部３ａを介してカバー部材３の外側に配される。図中、左側に配される他方の支持部４５はカバー部材３に設けたリブ５７に取り付けられるバネ４７により芯材４１を押圧する方向に付勢される。
【００４４】
これにより、巻取部４０はハンドル４３の回転駆動によって芯材４１が回転し、粘着面５１ｃを内側に配して捕虫シート５１を巻き取ることができる。なお、ハンドル４３の回転方向を一方向に規制する規制部材を設けてもしてもよい。これにより、粘着面５１ｃを外側に配して捕虫シート５１が巻き取られることを防止できる。
【００４５】
捕虫シート５１の芯材４１の反対側の端部（図中下端部）には左右一対の孔部５１ａが設けられる。孔部５１ａはＬ字状に形成される。カバー部材３には筐体２側へ突出し、孔部５１ａに挿入して捕虫シート５１を係止する左右一対の係止部５６が設けられる。係止部５６は孔部５１ａと同様にＬ字状に形成される。これにより、捕虫シート５１が立設した状態を保持される。なお、係止部５６及び孔部５１ａはＬ字状に形成されるが、それぞれが同じ形状であれば矩形状等、その他の形状でもよい。
【００４６】
捕虫シート５１の下端には上下方向に延びるスリット５１ｂが設けられる。スリット５１ｂは孔部５１ａの下端と連続している。これにより、孔部５１ａの巻取方向Ａ１の反対側が開放される。このため、ハンドル４３を回動させると捕虫シート５１がスリット５１ｂにより係止部５６から脱落して捕虫シート５１を芯材４１に巻き取ることができる。
【００４７】
上記構成の送風装置１において、操作部６の操作により送風装置１の運転が指示されると、送風機１０が駆動されるとともに誘引光源２１が点灯される。送風機１０の駆動により、吸込口４を介して居室内の空気が捕虫空間２５内に流入する。誘引光源２１の出射光は反射面６１ａにより吸込口４に向けて拡散反射する。これにより、吸込口４を介して虫を捕虫空間２５に誘引することができる。また、使用者が誘引光源２１を直視することを防止して、誘引光源２１の紫外線による使用者の健康に対する影響を低減することができる。
【００４８】
蚊等の虫は黒色を好むことが知られている。筐体２の背面（捕虫空間２５に面した領域）を黒色に形成しているため、カバー部材３の近傍に誘引された虫を吸込口４から容易に捕虫空間２５に誘引することができる。また、捕虫シート５１を黒色に形成しているため、捕虫空間２５に進入した虫は捕虫シート５１に容易に誘引されて粘着面５１ｃ上に捕獲される。
【００４９】
この時、捕虫シート５１をプレフィルタ８に対向してカバー部材３の内面に配置している。これにより、吸込口４から進入した虫が吸込気流により流入口２０に向かって運ばれる際に、流入口２０に対向した捕虫シート５１に捕虫される。これにより、虫によるプレフィルタ８の目詰まりを低減することができる。また、吸込気流中の塵埃の捕虫シート５１への付着を低減することができる。
【００５０】
捕虫空間２５に流入した空気は筐体２の流入口２０から送風通路７に流入する。この時、プレフィルタ８により空気中の大きな塵埃が捕集される。また、ＨＥＰＡフィルタ９によりＰＭ２．５等を含む空気中の微細な塵埃が捕集される。送風機１０の排気側の送風通路７内を流通する空気にはイオン発生装置１１で発生したイオンが含まれる。塵埃が捕集されてイオンを含む空気は吹出口５から送出される。これにより、居室内の空気を清浄することができる。
【００５１】
送風装置１の使用により粘着面５１ｃに虫が付着した捕虫シート５１はハンドル４３の回転駆動によって係止部５６から脱落し、芯材４１に巻き取られる。捕虫シート５１の巻き取りを終えるとカバー部材３が筐体２から取り外され、バネ４７の付勢力に抗して芯材４１を押圧して芯材４１が取り外される。
【００５２】
これにより、ユーザは使用済の捕虫シート５１の粘着面５１ｃが目に入らず、粘着面５１ｃに手が触れることもない。そして、新しい捕虫シート５１の芯材４１を支持部４５に取り付けて芯材４１から捕虫シート５１を引き伸ばし、係止部５６に捕虫シート５１の下端を係止させる。これにより、捕虫シート５１の交換が行われ、カバー部材３が装着される。
【００５３】
本実施形態によると、一面に粘着面５１ｃを有して虫を捕獲する捕虫シート５１と捕虫シート５１の一端を回転可能に支持して捕虫シート５１を巻き取る巻取部４０とを備えた。これにより、虫が付着した使用済の捕虫シート５１を巻き取って交換することができる。このため、捕虫シート５１を交換のために取り外す際に虫の付着した粘着面５１ｃが目に入らず、粘着面５１ｃに手が触れることもない。したがって、送風装置１の捕虫シート５１の交換時の不快感を防止することができる。
【００５４】
また、捕虫シート５１が巻取方向Ａ１の一端部に巻取方向Ａ１の垂直方向に延びる芯材４１（第１芯材）を有する。また、カバー部材３に設けた巻取部４０が芯材４１の両端を支持して少なくとも一方が回転可能に配される一対の支持部４５と、一方の支持部４５を回転させるハンドル４３（駆動部）とを有する。これにより、ハンドル４３の回転駆動により捕虫シート５１を巻き取る巻取部４０を容易に実現することができる。
【００５５】
また、一方の支持部４５と一体に設けられるハンドル４３がカバー部材３の外側に配されるので、カバー部材３を取り外すことなく捕虫シート５１を巻き取ることができる。したがって、捕虫シート５１を巻き取る際に虫の付着した粘着面５１ｃが作業者の目に入らず、捕虫シート５１の交換時の不快感をさらに防止することができる。
【００５６】
また、捕虫シート５１が芯材４１の反対側の端部に孔部５１ａを有し、孔部５１ａの巻取方向Ａ１の反対側がスリット５１ｂにより開放されている。そして、カバー部材３には孔部５１ａに挿入して捕虫シート５１を係止する係止部５６が設けられる。これにより、係止部５６の係止により捕虫シート５１の立設状態を保持できるとともに、巻取部４０により捕虫シート５１を容易に巻き取ることができる。
【００５７】
なお、孔部５１ａ及び係止部５６を省き、捕虫空間２５内に捕虫シート５１を垂下させてもよい。この時、吸込気流によって捕虫シート５１が流入口２０を塞ぐことを防止するため、筐体２の背面から突出して捕虫シート５１に当接するリブを設けるとより望ましい。
【００５８】
また、一対の支持部４５の両方が回転可能に配され、芯材４１の両端が支持部４５に係止される。そして、ハンドル４３の反対側の支持部４５が芯材４１を押圧する方向にバネ４７により付勢される。これにより、芯材４１を容易に回転させることができるとともに、捕虫シート５１を容易に着脱することができる。
【００５９】
なお、ハンドル４３の反対側の支持部４５（図４の左側の支持部４５）は回転できないように配置されていてもよい。この時、芯材４１は図４の左側の支持部４５と摺動して右側の支持部４５と一体に回転する。
【００６０】
＜第２実施形態＞
次に、本発明の第２実施形態について説明する。図５、図６は第２実施形態の送風装置１のカバー部材３を示す斜視図、捕虫シート５１の縦断面図を示している。説明の便宜上、前述の図１〜図４に示した第１実施形態と同様の部分には同一の符号を付している。本実施形態は第１実施形態と巻取部４０及び捕虫シート５１の構造が異なり、捕虫センサ（不図示）が設けられている。その他の部分は第１実施形態と同様である。
【００６１】
捕虫シート５１は巻取方向Ａ１の両端部に左右方向に延びる円筒状の芯材４１（第１芯材）及び芯材４２（第２芯材）を有している。使用前の状態で捕虫シート５１は芯材４２に巻回されている。芯材４１及び芯材４２の両端面には軸方向に切り欠いた溝（不図示）が設けられる。
【００６２】
巻取部４０は芯材４１を支持する一対の支持部４５（第１支持部）及び芯材４２を支持する一対の支持部４６（第２支持部）を有している。両方の支持部４５はカバー部材３の上部に回転可能に配され、両方の支持部４６はカバー部材３に下部に回転可能に配される。
【００６３】
両方の支持部４５は芯材４１に嵌入されるとともに芯材４１の溝に嵌合する突起部（不図示）を有する。これにより、支持部４５は巻取方向Ａ１の垂直方向に延びた芯材４１の両端を係止して支持する。同様に、両方の支持部４６は芯材４２に嵌入されるとともに芯材４２の溝に嵌合する突起部（不図示）を有する。これにより、支持部４６は巻取方向Ａ１の垂直方向に延びた芯材４２の両端を係止して支持する。
【００６４】
図中、左側に配される支持部４５はカバー部材３に設けたリブ５７に取り付けられるバネ４７により芯材４１を押圧する方向に付勢される。図中、右側に配される支持部４５には筐体２に配されるモータ４４（駆動部）が連結される。
【００６５】
図中、右側に配される支持部４５には傘歯車から成るギア４８ａ（第１傘歯車）が取り付けられる。また、カバー部材３に軸方向を前後方向に軸支された傘歯車から成るギア４８ｂ（第２傘歯車）がギア４８ａに噛合する。モータ４４の回転軸を形成するシャフト４９は前後方向に延び、シャフト４９の先端の周面には平面部が形成される。ギア４８ａにはシャフト４９の先端が嵌合して平面部により回り止めされる係止孔４８ｃが設けられる。カバー部材３を筐体２に取り付けることにより、シャフト４９が係止孔４８ｃに嵌合して係止され、モータ４４の回転がギア４８ａ、４８ｂを介して支持部４５に伝えられる。
【００６６】
また、筐体２には捕虫シート５１の捕虫量を検知する捕虫センサ（不図示）が設けられる。捕虫センサは例えば捕虫シート５１に光を投射して反射光または透過光の光量を監視し、虫の付着による光量の減少量によって捕虫量を検知することができる。
【００６７】
捕虫シート５１が所定の捕虫量に到達するとモータ４４が駆動される。これにより、捕虫シート５１が芯材４１に巻き取られるとともに芯材４２から送り出される。したがって、第１実施形態と同様に、虫が付着した使用済の捕虫シート５１を巻き取って交換することができる。なお、捕虫センサを設けずに所定の周期毎（例えば２週間毎）にモータ４４を駆動してもよい。
【００６８】
本実施形態によると、第１実施形態と同様の効果を奏することができる。また、支持部４５がモータ４により回転駆動されるため、捕虫シート５１を巻き取る巻取部４０を容易に実現することができる。
【００６９】
また、捕虫シート５１が巻取方向Ａ１の両端部に巻取方向Ａ１に垂直方向に延びる芯材４１（第１芯材）及び芯材４２（第２芯材）を有し、芯材４２の両端を支持する一対の支持部４６（第２支持部）を備える。そして、モータ４４の駆動により捕虫シート５１芯材４１に巻き取られ、芯材４２から送り出される。これにより、捕虫シート５１の粘着面５１ｃに虫が付着すると虫の付着していない粘着面５１ｃが露出して捕虫力が維持され、捕虫シート５１を長期間使用することができる。したがって、捕虫シート５１の交換頻度を削減し、送風装置１の利便性を向上することができる。
【００７０】
また、一対の支持部４６の両方が回転可能に配され、芯材４２の両端が支持部４６に係止される。そして、一方の支持部４６が芯材４２を押圧する方向にバネ４７により付勢される。これにより、芯材４２を容易に回転させることができるとともに、捕虫シート５１を容易に着脱することができる。
【００７１】
なお、一方または両方の支持部４６を回転できないように配置されていてもよい。この時、芯材４２は回転しない支持部４６と摺動して回転する。
【００７２】
また、所定の周期毎にモータ４４が駆動されるため、捕虫シート５１を自動的に巻き取って捕虫シート５１の捕虫力を容易に維持できる。
【００７３】
また、捕虫シート５１上の捕虫量を検知する捕虫センサを設け、所定の捕虫量に到達した時にモータ４４が駆動される。これにより、粘着面５１ｃの虫の付着量が少ない場合に捕虫シート５１の巻き取りが行われず、捕虫シート５１の無駄を防止することができる。
【００７４】
また、筐体２にモータ４４が配され、カバー部材３に支持部４５、ギア４８ａ（第１傘歯車）及びギア４８ｂ（第２傘歯車）が配される。そして、モータ４４のシャフト４９が嵌合して係止される係止孔４８ｃがギア４８ｂに設けられる。これにより、電気配線が接続されるモータ４４を筐体２に配し、着脱可能なカバー部材３に配した支持部４５と筐体２に配したモータ４４とを容易に連結することができる。
【００７５】
本実施形態において、第１実施形態と同様に捕虫シート５１の芯材４２を省き、捕虫シート５１の孔部５１ａ及びカバー部材３の係止部５６を設けてもよい。これにより、モータ４４の巻き取りは一度だけになるが、第１実施形態と同様の効果を奏することができる。また、モータ４４に替えて第１実施形態のハンドル４３を設けてもよい。
【００７６】
また、モータ４４及び支持部４５を下方に配置し、支持部４６を上方に配置してもよい。これにより、モータ４４の重量によって送風装置１を安定して設置することができる。
【００７７】
また、操作部６にモータ４４を駆動させるボタンを設け、使用者によるボタン操作によって捕虫シート５１を巻き取ってもよい。
【００７８】
＜第３実施形態＞
次に、本発明の第３実施形態について説明する。図７は第３実施形態の送風装置１の側面断面図を示している。説明の便宜上、前述の図１〜図４に示した第１実施形態と同様の部分には同一の符号を付している。本実施形態では、巻取部４０の設置場所が第１実施形態とは異なっている。その他の部分は第１実施形態と同様である。
【００７９】
巻取部４０は筐体２に設けられ、芯材４１の両端を支持して回転可能に配される一対の支持部４５を有している。捕虫シート５１の孔部５１ａに挿入される係止部５６は筐体２の背面側に突出して設けられ、捕虫シート５１を係止する。これにより、第１実施形態と同様の効果を奏することができる。
【００８０】
なお、孔部５１ａ及び係止部５６を省き、捕虫空間２５内に捕虫シート５１を垂下させてもよい。この時、吸込気流によって捕虫シート５１が流入口２０を塞ぐことを防止するため、筐体２の背面から突出して捕虫シート５１に当接するリブを設けるとより望ましい。
【産業上の利用可能性】
【００８１】
本発明は虫を捕獲する捕虫シートを備えた送風装置に利用することができる。
【符号の説明】
【００８２】
１    送風装置
２    筐体
３    カバー部材
３ａ  開口部
４    吸込口
５    吹出口
６    操作部
７    送風通路
８    プレフィルタ
９    ＨＥＰＡフィルタ
９ａ  濾材
９ｂ  枠材
１０    送風機
１０ａ  モータ
１０ｂ  羽根車
１１    イオン発生装置
１２    スリーブ部
１３    突出板
２０    流入口
２１    誘引光源
２８    突出部
２８ａ  凹部
３１    リブ
３２    桟部
４０    巻取部
４１    芯材（第１芯材）
４２    芯材（第２芯材）
４３    ハンドル（駆動部）
４４    モータ（駆動部）
４５    支持部（第１支持部）
４６    支持部（第２支持部）
４７    バネ
４８ａ  ギア（第１傘歯車）
４８ｂ  ギア（第２傘歯車）
４８ｃ  係止孔
４９    シャフト
５１    捕虫シート
５１ａ    孔部
５１ｂ    スリット
５１ｃ    粘着面
５２    基材シート
５４    切込み
５５    取付板
５５ａ  係合孔
５５ｂ  支持部
５６    係止部
５７    リブ
６０    噴霧部
６１    反射部
６１ａ  反射面
Ａ１    巻取方向
【図１】
0006755946.tif 000002
【図２】
0006755946.tif 000003
【図３】
0006755946.tif 000004
【図４】
0006755946.tif 000005
【図５】
0006755946.tif 000006
【図６】
0006755946.tif 000007
【図７】
0006755946.tif 000008